(57)【要約】  複数の参加者が参加するプレゼンテーションに際して、参加者それぞれに適したコンテンツを、当該コンテンツを用いたプレゼンテーションの進行に合わせて最適なタイミングで提供する。プレゼンテーションにおけるコンテンツの説明者が使用する説明会用大スクリーン（１１０）と、プレゼンテーションの複数の参加者が使用する端末装置（１２０，１２１）とが接続され、参加者の属性ごとに、説明会用大スクリーン（１１０）および端末装置（１２０，１２１）において表示させるコンテンツ提供システム（１００）において、説明会用大スクリーン（１１０）からそのプレゼンテーション表示画面に表示されたコンテンツの改ページ指示に関する改ページ指示情報を受信した場合に、受信された改ページ指示情報に基づいて、各端末装置（１２０，１２１）に対してその表示画面に表示されているコンテンツの改ページ指示情報を送信するようにした。
2008149430.tif 000002
【特許請求の範囲】
【請求項１】
プレゼンテーションの参加者が使用する参加者端末が接続され、参加者の属性ごとの複数のコンテンツを記憶するコンテンツデータベースを備え、前記コンテンツを前記参加者端末に提供するコンテンツ提供システムに実行させるコンテンツ提供プログラムであって、
前記参加者端末を使用する参加者の属性に関する属性情報を取得する属性情報取得工程と、
前記属性情報取得工程によって取得された属性情報に基づいて、前記コンテンツデータベースに記憶されたコンテンツを抽出するコンテンツ抽出工程と、
前記コンテンツ抽出工程によって抽出されたコンテンツを前記参加者端末に送信するコンテンツ送信工程と、
前記コンテンツの改ページ指示に基づいて、各前記参加者端末に対して当該参加者端末の表示画面に表示されているコンテンツの改ページ指示情報を送信する改ページ指示情報送信工程と、
を前記コンテンツ提供システムに実行させることを特徴とするコンテンツ提供プログラム。
【請求項２】
プレゼンテーションの参加者が使用する参加者端末が接続され、参加者の属性ごとの複数のコンテンツを記憶するコンテンツデータベースを備え、前記コンテンツを前記参加者端末に提供するコンテンツ提供システムに実行させるコンテンツ提供プログラムであって、
前記参加者端末を使用する参加者の属性に関する属性情報を取得する属性情報取得工程と、
前記属性情報取得工程によって取得された属性情報に基づいて、前記コンテンツデータベースに記憶されたコンテンツを抽出するコンテンツ抽出工程と、
前記コンテンツ抽出工程によって抽出されたコンテンツを前記参加者端末に送信するコンテンツ送信工程と、
を前記コンテンツ提供システムに実行させ、
前記コンテンツ送信工程は、前記コンテンツの改ページ指示に基づいて、各前記参加者端末に対して当該参加者端末の表示画面に表示させるコンテンツを送信することを特徴とするコンテンツ提供プログラム。
【請求項３】
前記属性情報取得工程によって取得された属性情報に基づいて、前記参加者の属性の中からもっとも多い属性を特定する最多属性特定工程を前記コンテンツ提供システムに実行させ、
前記コンテンツ送信工程は、前記最多属性特定工程によって特定された属性に関する属性情報が対応付けられたコンテンツを、前記コンテンツ提供システムに接続されたスクリーンへ表示させることを特徴とする請求項２に記載のコンテンツ提供プログラム。
【請求項４】
プレゼンテーションの参加者が使用する参加者端末が接続され、参加者の属性ごとの複数のコンテンツを記憶するコンテンツデータベースに記憶された前記コンテンツを前記参加者端末に提供するコンテンツ提供装置であって、
前記参加者端末を使用する参加者の属性に関する属性情報を取得する属性情報取得手段と、
前記属性情報取得手段によって取得された属性情報に基づいて、前記コンテンツデータベースに記憶されたコンテンツを抽出するコンテンツ抽出手段と、
前記コンテンツ抽出手段によって抽出されたコンテンツを前記参加者端末に送信するコンテンツ送信手段と、
前記コンテンツの改ページ指示に基づいて、各前記参加者端末に対して当該参加者端末の表示画面に表示されているコンテンツの改ページ指示情報を送信する改ページ指示情報送信手段と、
を備えたことを特徴とするコンテンツ提供装置。
【請求項５】
プレゼンテーションの参加者が使用する参加者端末が接続され、参加者の属性ごとの複数のコンテンツを記憶するコンテンツデータベースに記憶された前記コンテンツを前記参加者端末に提供するコンテンツ提供装置であって、
前記参加者端末を使用する参加者の属性に関する属性情報を取得する属性情報取得手段と、
前記属性情報取得手段によって取得された属性情報に基づいて、前記コンテンツデータベースに記憶されたコンテンツを抽出するコンテンツ抽出手段と、
前記コンテンツ抽出手段によって抽出されたコンテンツを前記参加者端末に送信するコンテンツ送信手段と、
を備え、
前記コンテンツ送信手段は、前記コンテンツの改ページ指示に基づいて、各前記参加者端末に対して当該参加者端末の表示画面に表示させるコンテンツを送信することを特徴とするコンテンツ提供装置。
【請求項６】
プレゼンテーションの参加者が使用する参加者端末に対して、参加者の属性ごとの複数のコンテンツを記憶するコンテンツデータベースに記憶された前記コンテンツを提供するコンテンツ提供方法であって、
前記参加者端末を使用する参加者の属性に関する属性情報を取得する属性情報取得工程と、
前記属性情報取得工程によって取得された属性情報に基づいて、前記コンテンツデータベースに記憶されたコンテンツを抽出するコンテンツ抽出工程と、
前記コンテンツ抽出工程によって抽出されたコンテンツを前記参加者端末に送信するコンテンツ送信工程と、
前記コンテンツの改ページ指示に基づいて、各前記参加者端末に対して当該参加者端末の表示画面に表示されているコンテンツの改ページ指示情報を送信する改ページ指示情報送信工程と、
を含むことを特徴とするコンテンツ提供方法。
【請求項７】
プレゼンテーションの参加者が使用する参加者端末に対して、参加者の属性ごとの複数のコンテンツを記憶するコンテンツデータベースに記憶された前記コンテンツを提供するコンテンツ提供方法であって、
前記参加者端末を使用する参加者の属性に関する属性情報を取得する属性情報取得工程と、
前記属性情報取得工程によって取得された属性情報に基づいて、前記コンテンツデータベースに記憶されたコンテンツを抽出するコンテンツ抽出工程と、
前記コンテンツ抽出工程によって抽出されたコンテンツを前記参加者端末に送信するコンテンツ送信工程と、
を含み、
前記コンテンツ送信工程は、前記コンテンツの改ページ指示に基づいて、各前記参加者端末に対して当該参加者端末の表示画面に表示させるコンテンツを送信することを特徴とするコンテンツ提供方法。
【発明の詳細な説明】
【技術分野】
【０００１】
この発明は、複数の参加者が参加するプレゼンテーションに際して、プレゼンテーションに用いるコンテンツを、当該プレゼンテーションの参加者が使用する端末装置を介して提供するコンテンツ提供プログラム、コンテンツ提供装置およびコンテンツ提供方法に関する。
【背景技術】
【０００２】
従来、たとえば保険商品などを多数の顧客に対して一度に説明するプレゼンテーションにおいては、プレゼンテーションの参加者に対して、商品情報が印刷されたパンフレットや商品情報が表示されたスクリーンなどを用いておこなうのが一般的である。保険商品などは年齢や性別などの顧客属性により商品の内容が異なることが多いために、プレゼンテーションは、代表的な顧客属性の被保険者をモデルにしたモデルパターンを用いておこなわれることが多い。【０００３】
また、従来からプレゼンテーションにおいて、参加者一人一人に端末を用意し、参加者自身の属性（年齢や性別など）を当該端末に入力させ、サーバから各利用者の属性に即したコンテンツを配信することが可能であった。具体的には、たとえばＷｅｂページの閲覧要求に含まれる発信元ＩＰアドレスが所定のＩＰアドレスに該当する場合、当該所定のＩＰアドレスにあらかじめ対応付けられていたユーザ装置の所属機関を示す属性に応じた採用情報を掲載したＷｅｂページを案内するものがあった（たとえば、下記特許文献１を参照。）。【０００４】
また、具体的には、たとえば利用者の属性に応じた複数の提供情報をタグで区切って提供し、利用者の属性に応じて各々の提供情報を分離して処理することにより、各利用者の属性に応じて情報提供をおこなうようにした先行技術が開示されている（たとえば、下記特許文献２を参照。）。【０００５】
【特許文献１】特開２００２−２４２７７号公報
【特許文献２】特開２００１−１６２０２号公報
【発明の開示】
【発明が解決しようとする課題】
【０００６】
しかしながら、上述した従来の技術においては、プレゼンテーションの参加者の属性は様々であるにも拘わらず、モデルパターンについての説明情報がすべての参加者に対して一様に提供されるため、年齢や性別などの属性がモデルパターンに合致しない参加者にとっては、プレゼンテーションの内容を十分理解できなかったり、有意義なものにならなかったりするという問題があった。【０００７】
また、参加者の属性をあらかじめ収集し、個々に配布した端末にネットワーク経由で属性に合った情報を事前に配信することにより、説明内容を事前に理解させるような運用形態が考えられるが、保険商品などでは顧客の属性を事前に収集することが困難であるという問題があった。【０００８】
この発明は、上述した従来技術による問題点を解消するため、複数の参加者が参加するプレゼンテーションに際して、参加者それぞれに適したコンテンツを、当該コンテンツを用いたプレゼンテーションの進行に合わせて最適なタイミングで提供することができるコンテンツ提供プログラム、コンテンツ提供装置およびコンテンツ提供方法を提供することを目的とする。
【課題を解決するための手段】
【０００９】
上述した課題を解決し、目的を達成するため、この発明にかかるコンテンツ提供プログラム、コンテンツ提供装置およびコンテンツ提供方法は、プレゼンテーションの参加者が使用する参加者端末が接続され、参加者の属性ごとの複数のコンテンツを記憶するコンテンツデータベースを備え、前記コンテンツを前記参加者端末に提供するコンテンツ提供システムにおいて、前記参加者端末を使用する参加者の属性に関する属性情報を取得し、取得された属性情報に基づいて、前記コンテンツデータベースに記憶されたコンテンツを抽出し、抽出されたコンテンツを前記参加者端末に送信し、前記コンテンツの改ページ指示に基づいて、各前記参加者端末に対して当該参加者端末の表示画面に表示されているコンテンツの改ページ指示情報を送信することを特徴とする。【００１０】
また、この発明にかかるコンテンツ提供プログラム、コンテンツ提供装置およびコンテンツ提供方法は、プレゼンテーションの参加者が使用する参加者端末が接続され、参加者の属性ごとの複数のコンテンツを記憶するコンテンツデータベースを備え、前記コンテンツを前記参加者端末に提供するコンテンツ提供システムにおいて、前記参加者端末を使用する参加者の属性に関する属性情報を取得し、取得された属性情報に基づいて、前記コンテンツデータベースに記憶されたコンテンツを抽出し、抽出されたコンテンツを前記参加者端末に送信し、前記コンテンツの改ページ指示に基づいて、各前記参加者端末に対して当該参加者端末の表示画面に表示させるコンテンツを送信することを特徴とする。【００１１】
また、この発明にかかるコンテンツ提供プログラム、コンテンツ提供装置およびコンテンツ提供方法は、上記の発明において、取得された属性情報に基づいて、前記参加者の属性の中からもっとも多い属性を特定し、特定された属性に関する属性情報が対応付けられたコンテンツを、前記コンテンツ提供システムに接続されたスクリーンへ表示させるようにしてもよい。
【発明の効果】
【００１２】
本発明によれば、複数の参加者が参加するプレゼンテーションに際して、参加者それぞれに適したコンテンツを、当該コンテンツを用いたプレゼンテーションの進行に合わせて最適なタイミングで提供することができ、プレゼンテーション内容に対する理解を深めることができるコンテンツ提供プログラム、コンテンツ提供装置およびコンテンツ提供方法が得られるという効果を奏する。
【図面の簡単な説明】
【００１３】
【図１】図１は、この発明の実施の形態にかかるコンテンツ提供装置を含むコンテンツ提供システムのシステム構成を示す説明図である。
【図２】図２は、電子ペーパー管理システムのシステム構成を示す説明図である。
【図３】図３は、この発明の実施の形態にかかるコンテンツ提供装置の外観を示す説明図である。
【図４】図４は、この発明の実施の形態にかかるコンテンツ提供装置の機能的構成を示す説明図である。
【図５】図５は、参加者属性情報取得・グルーピング処理の一例を示すフローチャート（その１）である。
【図６】図６は、ＰＣが表示する画面の表示例を示す説明図である。
【図７】図７は、参加者属性グルーピングテーブルの内容を示す説明図である。
【図８】図８は、グルーピング最多参加属性特定処理の一例を示すフローチャートである。
【図９】図９は、参加者属性集計テーブルの内容を示す説明図である。
【図１０】図１０は、コンテンツ連動表示処理の一例を示すフローチャート（その１）である。
【図１１】図１１は、詳細ページ番号ＤＢの内容を示す説明図である。
【図１２】図１２は、参加者属性別コンテンツＤＢの内容を示す説明図である。
【図１３】図１３は、詳細コンテンツ情報ＤＢの内容を示す説明図である。
【図１４−１】図１４−１は、表示画面の一例を示す説明図（その１）である。
【図１４−２】図１４−２は、表示画面の一例を示す説明図（その２）である。
【図１４−３】図１４−３は、表示画面の一例を示す説明図（その３）である。
【図１５】図１５は、参加者属性情報取得・グルーピング処理の一例を示すフローチャート（その２）である。
【図１６】図１６は、電子ペーパーライター管理ＤＢの内容を示す説明図である。
【図１７】図１７は、コンテンツ連動表示処理の一例を示すフローチャート（その２）である。
【図１８】図１８は、参加者属性情報取得蓄積処理の一例を示すフローチャート（その１）である。
【図１９】図１９は、参加者端末ＩＤ属性紐付テーブルの内容を示す説明図である。
【図２０】図２０は、最多参加属性特定処理の一例を示すフローチャートである。
【図２１】図２１は、最多参加属性テーブルの内容を示す説明図である。
【図２２】図２２は、コンテンツ連動表示処理の一例を示すフローチャート（その３）である。
【図２３】図２３は、参加者属性情報取得蓄積処理の一例を示すフローチャート（その２）である。
【図２４】図２４は、コンテンツ連動表示処理の一例を示すフローチャート（その４）である。
【符号の説明】
【００１４】
１１０  説明会用大スクリーン
１１１  説明者用端末
１２０  参加者端末（ＰＣ）
１２１  参加者端末（電子ペーパー）
１３０  コンテンツ提供装置
４０１  属性情報取得部
４０２  グルーピング部
４０３  コンテンツ抽出部
４０４  コンテンツ送信部
４０５  改ページ指示情報受信部
４０６  改ページ指示情報送信部
４０７  グループ抽出部
４０８  最多属性特定部
【発明を実施するための最良の形態】
【００１５】
以下に添付図面を参照して、この発明にかかるコンテンツ提供プログラム、コンテンツ提供装置およびコンテンツ提供方法の好適な実施の形態を詳細に説明する。【００１６】
（実施の形態１）
（コンテンツ提供システムのシステム構成）
図１は、この発明の実施の形態にかかるコンテンツ提供装置を含むコンテンツ提供システムのシステム構成を示す説明図である。本実施の形態にかかるコンテンツ提供システムは、具体的には、たとえば保険商品の内容をプレゼンテーションするプレゼンテーション会場において、プレゼンテーションに参加する複数の参加者に対して、各種保険商品についての説明情報（以下、「コンテンツ」という）の中から各参加者に最適な保険商品についてのコンテンツを提供するシステムである。説明情報（コンテンツ）は、通常のプレゼンテーションにおいては、説明会用大スクリーン１１０に表示したり、印刷物として参加者に配布されるものを電子化し、参加者端末１２０，１２１に表示するものである。【００１７】
図１において、コンテンツ提供システム１００は、説明会用大スクリーン１１０と、説明者用端末１１１と、複数の端末装置１２０，１２１と、各端末装置１２０，１２１を介して参加者にコンテンツを提供するコンテンツ提供装置１３０とから構成される。そしてコンテンツ提供システム１００を構成する各装置は有線または無線によるネットワーク１５０にて接続されている。【００１８】
説明会用大スクリーン１１０は、保険商品のプレゼンテーション会場に少なくとも一台設置される。説明会用大スクリーン１１０は、具体的には、たとえばプロジェクタであってもよいし、大画面の液晶ディスプレイやプラズマディスプレイなどであってもよい。【００１９】
説明者用端末１１１は、保険商品の説明者が使用する情報端末装置（提供者端末）であり、説明会用大スクリーン１１０が表示する表示するコンテンツ（たとえば、説明会用大スクリーン１１０に表示させる一画面（以下「ページ」という））を指定・更新する。説明者用端末１１１は、図示を省略するが、プレゼンテーションの説明者などによる操作を受け付ける操作部や、操作部における操作内容に応じた情報を表示する表示部、および操作部における操作内容に応じてコンテンツ提供装置１３０と通信をおこなう通信部などを備えている。【００２０】
この実施の形態においては、説明者用端末１１１は、説明会用大スクリーン１１０を表示部として備える。すなわち、説明者用端末１１１と説明会用大スクリーン１１０とは一体である。説明会用大スクリーン１１０に表示するページを説明者用端末１１１における操作によって更新する処理については後述する。【００２１】
説明者用端末１１１は、プレゼンテーションの開始に先立って、プレゼンテーションに用いるコンテンツファイルを取得し、取得したコンテンツファイルを所定の記憶領域に記憶する。コンテンツファイルは、参加者の属性に応じて分類された複数のコンテンツ（ぺージ）によって構成される情報である。説明者用端末１１１は、プレゼンテーションに参加する参加者のうち、代表的な参加者に該当する保険商品の説明情報であるコンテンツファイルを、プレゼンテーションに用いるコンテンツファイルとして取得する。【００２２】
代表的な参加者は、性別や年齢などの参加者の属性に基づいて決定する。たとえばプレゼンテーションに参加する参加者の中でもっとも人数が多い属性（最多属性）に該当する参加者を代表的な参加者として決定する。たとえば、参加者が１００名で、２０代女性が５名、２０代男性が１０名、３０代女性が４０名、３０代男性が１０名、４０代女性が１５名、４０代男性が２０名であった場合、代表的な参加者は、参加者が最多（４０名）の３０代女性となる。参加者の属性は、性別や年齢に加えて、たとえば配偶者の有無、子供の有無、年収、喫煙の有無、既往歴、運転免許の有無、運転免許がゴールド免許か否かなどに基づいて設定することができる。【００２３】
説明者用端末１１１は、操作部において受け付けた操作に応じて、取得したコンテンツファイルの中から該当するコンテンツ（ページ）を抽出し、表示部に表示する。説明会用大スクリーン１１０は、説明者用端末１１１の表示部が表示するコンテンツ（ページ）と同じ属性のコンテンツ（ページ）を表示する。【００２４】
説明者用端末１１１と説明会用大スクリーン１１０とは、各々独立した別体であってもよい。すなわち、説明会用大スクリーン１１０とは別に説明者用端末１１１が備える表示部が存在していてもよい。説明者用端末１１１と説明会用大スクリーン１１０とが別体である場合、説明者用端末１１１は、表示部に表示するコンテンツ（ページ）を更新（改ページ）するごとに、更新（改ページ）後のコンテンツ（ページ）を説明会用大スクリーン１１０にも表示させる。説明者用端末１１１における操作によって別体である説明会用大スクリーン１１０におけるページを更新する技術については公知の技術であるためここでは説明を省略する。【００２５】
また、説明者用端末１１１と説明会用大スクリーン１１０とが別体である場合、説明者用端末１１１は、表示部に表示するコンテンツ（ページ）を更新（改ページ）するごとに、コンテンツ（ページ）の更新（改ページ）があったことを示す改ページ指示情報を、コンテンツ提供装置１３０に送信する。【００２６】
ここで、コンテンツ提供装置１３０は、説明者用端末１１１から送信された改ページ指示情報を受信すると、端末装置１２０，１２１に対して、端末装置１２０，１２１の表示画面に表示されているコンテンツ（ページ）を更新する（他のページに変更する）改ページ指示情報を送信する。コンテンツ提供装置１３０は、更新（改ページ）後のコンテンツ（ページ）を特定する情報、あるいは、更新後のコンテンツ（ページ）自体、の少なくとも一方を含む改ページ指示情報を送信する。【００２７】
コンテンツ提供装置１３０は、無線送信部（図示を省略する）を備えており、各端末装置１２０，１２１に対して、無線送信部を用いた無線通信によって改ページ指示情報を送信する。改ページ指示情報は、コンテンツ提供装置１３０と各端末装置１２０，１２１とを有線接続し、有線通信によって送信してもよい。なお、コンテンツ情報提供装置１３０の詳細については後述する。【００２８】
各端末装置１２０，１２１は、自身を識別する参加者端末ＩＤをそれぞれ有し、参加者ごとに配布される。各参加者端末ＩＤには、端末装置１２０，１２１を使用する参加者の属性が対応付けられる。コンテンツ提供装置１３０は、参加者端末ＩＤと属性との対応付けに基づいて、各端末装置１２０，１２１に対して該当する改ページ指示情報を送信する。【００２９】
端末装置１２０，１２１は、参加者が使用する情報端末装置（参加者端末）である。端末装置１２０，１２１は、コンテンツ提供装置１３０から送信された改ページ指示情報を受信する通信部と、受信した改ページ指示情報に基づいたコンテンツ（ページ）を表示する表示部とを備えている。端末装置１２０，１２１は、コンテンツ提供装置１３０から送信された改ページ指示情報を受信すると、受信した改ページ指示情報に基づいたコンテンツ（ページ）を表示する。【００３０】
端末装置１２０，１２１は、具体的には、たとえばパーソナル・コンピュータ（以下、「ＰＣ」という）や電子ペーパーなどによって実現することが可能である。コンテンツ提供システム１００における参加者端末は、ＰＣであっても電子ペーパーであってもよく、ＰＣと電子ペーパーとが混在していてもよい。以下、参加者端末としてのＰＣに符号１２０を、参加者端末としての電子ペーパーに符号１２１を付して説明する。コンテンツ提供システム１００においては、複数のＰＣ１２０（１２０ａ〜１２０ｎ）および複数の電子ペーパー１２１（１２１ａ〜１２１ｎ）が設けられている。【００３１】
ＰＣ１２０は、上述した通信部および表示部に加えて、プレゼンテーションに用いるコンテンツファイルを記憶する所定の記憶領域を備えている。そして、ＰＣ１２０は、プレゼンテーションの開始に先立って、プレゼンテーションに用いるコンテンツファイルを取得し、取得したコンテンツファイルを所定の記憶領域に記憶する。ＰＣ１２０が取得し記憶するコンテンツファイルは、ＰＣ１２０を使用する参加者の属性に基づいて決定される。ＰＣ１２０を使用する参加者の属性は、コンテンツファイルの取得に先立って各ＰＣ１２０にあらかじめ対応付けられている。この対応付けについては後述する。【００３２】
ＰＣ１２０は、コンテンツ（ページ）を表示するビューワー機能を備えている。このビューワー機能は、たとえば説明者用端末１１１における改ページ操作にともなって、改ページ後のコンテンツ（新ページ）を特定する情報を含む改ページ指示情報をコンテンツ提供装置１３０から受信し、受信した改ページ指示情報に基づいて、所定の記憶領域に記憶したコンテンツファイルの中から抽出されるコンテンツ（ページ）を表示部に表示する。このビューワー機能によって、ＰＣ１２０は、説明者用端末１１１の表示部に表示するコンテンツ（ページ）が更新（改ページ）されると、表示中のコンテンツを改ページ後のコンテンツ（新ページ）に更新することが可能になる。【００３３】
ＰＣ１２０は、具体的には、たとえば、デスクトップ式あるいはノート型のＰＣやＰＤＡなど公知の各種の端末装置を用いて実現することが可能である。ＰＣ１２０についての構成および機能は、公知の技術であるため、ここではその説明を省略する。また、ＰＣ１２０は、更新後のコンテンツ（ページ）を含む改ページ指示情報を受信すると、受信した改ページ指示情報の示すコンテンツ（ページ）を表示部に表示する。【００３４】
電子ペーパー１２１は、更新後のコンテンツ（ページ）を含む改ページ指示情報を受信すると、受信した改ページ指示情報に含まれるコンテンツ（ページ）を表示部に表示する。電子ペーパー１２１は、コンテンツファイル全体を記憶するのではなく、改ページ指示情報を受信するごとに、受信した改ページ指示情報に含まれるコンテンツを表示部に表示する。【００３５】
電子ペーパー１２１は、コンテンツ提供装置１３０の無線送信部から送信された改ページ指示情報を受信する無線受信部（図示を省略する）を上述した通信部として備えている。これにより、電子ペーパー１２１にコンテンツを記録する電子ペーパーライターから電子ペーパー１２１が取り外された場合にも、電子ペーパー１２１の表示部にコンテンツ（ページ）を表示することができる。【００３６】
電子ペーパー１２１は、具体的には、たとえば、マイクロカプセル方式、電子粉流体方式、液晶方式、エレクトロウェッティング方式などいずれの方式を採用したものであってもよい。電子ペーパー１２１についての構成および機能については、公知の技術であるため、ここでは説明を省略する。【００３７】
つぎに、コンテンツＤＢ１３１について説明する。この実施の形態におけるコンテンツ提供装置１３０は、各種データを記憶するコンテンツＤＢ１３１と接続されており、コンテンツＤＢ１３１が記憶する各種データに基づいて図１に示した各種の機能を実現する。コンテンツＤＢ１３１には、たとえば、参加者属性グルーピングテーブル１３３（図７を参照）、参加者属性集計テーブル１３４（図９を参照）、参加者属性別コンテンツＤＢ１３５（図１２を参照）、電子ペーパーライター管理ＤＢ１３６（図１６を参照）、詳細ページ番号ＤＢ１３９（図１１を参照）、詳細コンテンツ情報ＤＢ１４０（図１３を参照）など、コンテンツ提供システム１００を利用する際に用いる各種データが設定されるＤＢやテーブルが格納されている。これらのＤＢやテーブルについては後述する。【００３８】
また、コンテンツＤＢ１３１には、説明会用大スクリーン１１０や複数の電子ペーパー１２１において表示するコンテンツを格納するコンテンツファイルＤＢが設けられている。コンテンツファイルＤＢは、保険商品の標準的な説明情報（以下、「通常のコンテンツ」という）と、通常のコンテンツよりも詳しく保険商品を説明する説明情報（以下、「詳細コンテンツ」という）と、を記憶する。【００３９】
（電子ペーパー管理システムのシステム構成）
図２は、電子ペーパー管理システムのシステム構成を示す説明図である。図２に示した電子ペーパー管理システム２００は、コンテンツ提供システム１００において、参加者端末が電子ペーパー１２１である場合に用いられる。電子ペーパー管理システム２００は、上記の説明会用大スクリーン１１０および複数の電子ペーパー１２１に、コンテンツを表示させるためのシステムである。【００４０】
図２において、電子ペーパー管理システム２００は、図１に示したものと同様の説明会用大スクリーン１１０と、複数の電子ペーパー１２１および複数の電子ペーパーライター２１０（以下、適宜２１０ａ〜２１０ｆ）とコンテンツ提供装置１３０とから構成され、それぞれがネットワーク１５０にて接続されている。【００４１】
電子ペーパーライター２１０は、電子ペーパー１２１がセットされる装着部と、装着部にセットされた電子ペーパー１２１にコンテンツを記録する記録部と、を備えている。装着部にセットされた電子ペーパー１２１は、装着部から抜き取って、自在に持ち運ぶことができる。【００４２】
記録部は、電子ペーパー１２１の種類に応じた方式にしたがって、電子ペーパー１２１への記録をおこなう。各電子ペーパーライター２１０における記録部は、電子ペーパー１２１が装着された場合に、当該電子ペーパー１２１への記録をおこなう。各電子ペーパーライター２１０とコンテンツ提供装置１３０とは、有線接続されていてもよいし、無線接続でもかまわない。【００４３】
図２において、コンテンツ提供装置１３０は、属性表示管理部２２１と、属性別配布状況管理部２２２と、属性別表示管理部２２３と、を備えている。なお、図２においては、コンテンツ提供装置１３０が備える各種機能のうち、電子ペーパー管理機能にかかる各機能部のみを示している。【００４４】
属性表示管理部２２１、属性別配布状況管理部２２２および属性別表示管理部２２３は、上記のコンテンツＤＢ１３１に格納された属電子ペーパーライター管理ＤＢ１３６や詳細ページ番号ＤＢ１３９などに記憶された情報を用いて、電子ペーパーにコンテンツを表示させるための各機能を実現する。【００４５】
属性表示管理部２２１は、コンテンツ提供装置１３０と電子ペーパーライター２１０とが有線接続されている場合に、各電子ペーパーライター２１０に対応付けられた属性情報、すなわち電子ペーパー１２１に対応付けられた属性情報を特定する。属性別配布状況管理部２２２は、たとえば参加者属性グルーピングテーブル１３３（後述する図７を参照）に基づいて、どの電子ペーパーにどの属性（表示属性）が対応付けられているかを特定する。属性別表示管理部２２３は、コンテンツ提供装置１３０と電子ペーパー１２１とが無線接続されている場合に、各電子ペーパーライター２１０がどの属性に該当するコンテンツを表示（記録）するかを特定する。【００４６】
上記のような構成において、参加者端末として電子ペーパー１２１を用いる場合、プレゼンテーションの開始に先立って、該当する属性が対応付けられたコンテンツを電子ペーパー１２１に記録しておく。参加者は、会場の入り口などに設けられたコンテンツを表示（記録）した複数の電子ペーパー１２１の中から、自身に該当する属性に対応するコンテンツが記録された電子ペーパー１２１を各自抜き取ってから着席する。たとえば参加者が３０代女性であれば、会場に入場する際には電子ペーパー１２１に表示された「３０代女性向け」の文字などを手がかりに該当する電子ペーパー１２１を抜き取る。【００４７】
電子ペーパー１２１が抜き取られた電子ペーパーライター２１０には、保険会社の社員などプレゼンテーションの開催側の人員によって、白紙の状態の電子ペーパー１２１があらたにセットされる。電子ペーパーライター２１０は、白紙の状態の電子ペーパー１２１があらたにセットされると、白紙の状態の電子ペーパー１２１に、自身に該当する属性が対応付けられたコンテンツをあらたに表示（記録）する。【００４８】
電子ペーパー管理システム２００においては、電子ペーパー１２１が抜き取られるたびに、抜き取られた電子ペーパー１２１の属性と同じ属性が対応付けられたコンテンツを白紙の状態の電子ペーパー１２１に表示（記録）するので、抜き取られた数が多い電子ペーパーライター２１０に割り当てられた属性が、参加者の中でもっとも数の多い属性（代表的参加者）となる。【００４９】
（コンテンツ提供装置１３０の外観）
図３は、この発明の実施の形態にかかるコンテンツ提供装置１３０の外観を示す説明図である。図３において、コンテンツ提供装置１３０は、コンピュータ本体３１０と、入力装置３２０と、出力装置３３０と、から構成されており、図示を省略するルータやモデムを介してＬＡＮ，ＷＡＮやインターネットなどのネットワーク１５０に接続可能である。【００５０】
コンピュータ本体３１０は、ＣＰＵ，メモリ，インターフェースを有する。ＣＰＵは、コンテンツ提供装置１３０の全体の制御を司る。メモリは、ＲＯＭ，ＲＡＭ，ＨＤ，光ディスク３１１，フラッシュメモリから構成される。メモリはＣＰＵのワークエリアとして使用される。【００５１】
また、メモリには各種プログラムが格納されており、ＣＰＵからの命令に応じてロードされる。ＨＤおよび光ディスク３１１はディスクドライブによりデータのリード／ライトが制御される。また、光ディスク３１１およびフラッシュメモリはコンピュータ本体３１０に対し着脱自在である。インターフェースは、入力装置３２０からの入力、出力装置３３０への出力、ネットワーク１５０に対する送受信の制御をおこなう。【００５２】
また、入力装置３２０としては、キーボード３２１、マウス３２２、スキャナ３２３などがある。キーボード３２１は、文字、数字、各種指示などの入力のためのキーを備え、データの入力をおこなう。また、タッチパネル式であってもよい。マウス３２２は、カーソルの移動や範囲選択、あるいはウィンドウの移動やサイズの変更などをおこなう。スキャナ３２３は、画像を光学的に読み取る。読み取られた画像は画像データとして取り込まれ、コンピュータ本体３１０内のメモリに格納される。なお、スキャナ３２３にＯＣＲ機能を持たせてもよい。【００５３】
また、出力装置３３０としては、ディスプレイ３３１、スピーカ３３２、プリンタ３３３などがある。ディスプレイ３３１は、カーソル、アイコンあるいはツールボックスをはじめ、文書、画像、機能情報などのデータを表示する。またスピーカ３３２は、効果音や読み上げ音などの音声を出力する。また、プリンタ３３３は、画像データや文書データを印刷する。【００５４】
（コンテンツ提供装置の機能的構成）
図４は、この発明の実施の形態にかかるコンテンツ提供装置１３０の機能的構成を示す説明図である。図４において、コンテンツ提供装置１３０は、属性情報取得部４０１と、グルーピング部４０２と、コンテンツ抽出部４０３と、コンテンツ送信部４０４と、改ページ指示情報受信部４０５と、改ページ指示情報送信部４０６と、最多属性特定部４０８と、を含む構成となっている。【００５５】
属性情報取得部４０１は、参加者あるいは保険会社の社員などによって入力された参加者の属性情報を取得する。グルーピング部４０２は、属性情報取得部４０１によって取得された属性情報に基づいて、参加者属性グルーピングテーブル１３３を生成する。これにより、参加者を属性ごとにグルーピングしたグループが生成される。【００５６】
コンテンツ抽出部４０３は、グルーピング部４０２によるグルーピング結果にしたがって、コンテンツＤＢ１３１に記憶されたコンテンツ（コンテンツファイルおよびページごとのコンテンツ）の中から、参加者の属性に対応付けられたコンテンツを抽出するようにしてもよい。【００５７】
コンテンツ送信部４０４は、コンテンツ抽出部４０３によって抽出されたコンテンツを、該当する端末装置（ＰＣ１２０、電子ペーパー１２１）に送信するとともに、コンテンツ抽出部４０３によって抽出されたコンテンツのうちのいずれか一つのコンテンツを、説明会用大スクリーン１１０へ送信する。端末装置（ＰＣ１２０、電子ペーパー１２１）および説明会用大スクリーン１１０は、コンテンツ送信部４０４によって送信されたコンテンツを受信し、受信したコンテンツを各々の表示部に表示する。【００５８】
最多属性特定部４０８は、グルーピング部４０２によってグルーピングされた複数のグループの中から、グループを構成する端末装置（ＰＣ１２０、電子ペーパー１２１）の数がもっとも多いグループの属性（最多属性）を特定する。【００５９】
図４においては、グルーピング部４０２を設けたが、グルーピング部４０２を設けずに、属性情報取得部４０１が取得した属性情報と端末装置（ＰＣ１２０、電子ペーパー１２１）が有する参加者端末ＩＤとに基づいて、最多属性を特定してもよい。この場合、最多属性特定部４０８は、参加者属性グルーピングテーブル１３３の代わりに参加者端末ＩＤ属性紐付テーブル（図１９を参照）を用いて最多参加属性テーブル（図２１を参照）を生成し、最多属性を特定する。【００６０】
コンテンツ送信部４０４は、最多属性特定部４０８によって特定された最多属性が対応付けられたコンテンツを、説明会用大スクリーン１１０へ送信する。改ページ指示情報受信部４０５は、説明者用端末１１１から送信された改ページ指示情報を受信する。改ページ指示情報送信部４０６は、改ページ指示情報受信部４０５によって受信された改ページ指示情報に基づいて、説明会用大スクリーン１１０および端末装置（ＰＣ１２０、電子ペーパー１２１）に対して改ページ指示情報を送信する。【００６１】
図４に示した属性情報取得部４０１、グルーピング部４０２、コンテンツ抽出部４０３、コンテンツ送信部４０４、改ページ指示情報受信部４０５、改ページ指示情報送信部４０６および最多属性特定部４０８は、具体的には、たとえば図３に示したコンピュータ本体３１０が備えるＣＰＵ、メモリ、インターフェースを用いて、ＣＰＵがメモリに記憶されたプログラムを実行し、プログラムを実行した結果をインターフェースを介してコンテンツ提供装置１３０の外部に出力することによってその機能を実現することができる。【００６２】
（コンテンツ提供システム１００における処理手順１（ＰＣの場合））
つぎに、コンテンツ提供システム１００における一連の処理手順について説明する。コンテンツ提供システム１００における一連の処理手順は、参加者端末がＰＣ１２０であるか電子ペーパー１２１であるかによって処理内容が一部異なる。【００６３】
そこで、まず、参加者端末がＰＣ１２０である場合のコンテンツ提供システム１００における一連の処理手順について説明する。コンテンツ提供システム１００における一連の処理手順は、主に下記の処理手順（図５、図８、図１０に示すフローチャートを参照）によって実現される。図５、図８、図１０のフローチャートに示す各処理工程は、適宜、コンテンツ提供システム１００を構成する各装置によっておこなわれる。【００６４】
（参加者属性情報取得・グルーピング処理）
図５は、参加者属性情報取得・グルーピング処理の一例を示すフローチャート（その１）である。図５のフローチャートにおいて、まず、全ＰＣ１２０において、属性入力を促す画面（後述する図６を参照）を表示させる（ステップＳ５０１）。ステップＳ５０１においては、コンテンツ提供装置１３０から全ＰＣ１２０に対して、属性入力を促す画面の表示処理を実行させるコマンドを送信する。そして、送信したコマンドによって各ＰＣ１２０が有する上述のビューワー機能を起動して属性入力を促す画面を表示させる。【００６５】
図６は、ＰＣ１２０が表示する画面の表示例を示す説明図である。図６に示した画面６００は、属性入力を促す画面であって、プレゼンテーションの開始に先立って各ＰＣ１２０の表示部に表示される。図６において、画面６００には、参加者の属性を決定するために用いる情報の入力を要求する情報が表示されている。参加者の属性を決定するために用いる情報としては、たとえば、参加者の性別、年齢、配偶者の有無、子供の有無、概算年収などの情報が挙げられる。【００６６】
プレゼンテーションの開始に先立って参加者は、画面６００に表示された表示内容にしたがって属性を入力し、入力が終了した時点で入力が終了したことを示す「入力完了」キーを操作する。「入力完了」キーが操作された場合、ＰＣ１２０は入力が完了したことを示す入力完了信号をコンテンツ提供装置１３０に対して送信する。【００６７】
つぎに、ステップＳ５０２において、コンテンツ提供装置１３０がＰＣ１２０から送信された属性情報を受け付けたか否かを判断する（ステップＳ５０２）。すなわち、ステップＳ５０２では、ＰＣ１２０から送信された「入力完了」信号をコンテンツ提供装置１３０が受信したか否かをもってＰＣ１２０から送信された属性情報を受け付けたか否かを判断する。【００６８】
そして、ＰＣ１２０から送信された属性情報を受けていない場合（ステップＳ５０２：Ｎｏ）は、当該属性情報を受け付けるのを待って、受け付けた場合（ステップＳ５０２：Ｙｅｓ）は、受け付けた属性情報（属性）をキーにして、参加者属性グルーピングテーブル１３３（後述する図７を参照）を検索し、該当する空白欄に受け付けた属性情報の送信元となるＰＣ１２０の端末ＩＤを設定する（ステップＳ５０３）。その後、ステップ５０２へ移行し、ＰＣ１２０から送信された属性情報を受け付けるごとにステップＳ５０３の処理を繰り返し実行する。【００６９】
図７は、参加者属性グルーピングテーブル１３３の内容を示す説明図である。図７において、参加者属性グルーピングテーブル１３３には、説明会の参加者の「属性」項目、１〜ｎ個の「参加者端末ＩＤｎ」項目の各項目に関する情報が設定されている。【００７０】
属性項目には、参加者端末ＩＤに対応付けられた属性情報が設定される。具体的には、たとえば画面６００において入力を受け付けた「２０代」や「男性」などの属性情報を組み合わせた「２０代男性」という情報が設定される。参加者端末ＩＤｎ項目には、ＰＣ１２０ごとに割り当てられた参加者端末ＩＤ（ｅ０００１、ｅ０００２など）が、該当する属性に対応付けて設定される。【００７１】
参加者端末ＩＤは、図７における左側の空白欄から順番に設定する。たとえば全欄が空白の参加者属性グルーピングテーブル１３３に３０代男性が使用するＰＣ１２０（参加者端末ＩＤ＝ｅ０００１）を設定する場合は、「３０代男性」という属性項目に対応する空白欄のうち左側の空白欄（参加者端末ＩＤ１欄）に「ｅ０００１」を設定する。【００７２】
また、３０代男性が使用するＰＣ１２０（参加者端末ＩＤ＝ｅ０００２）を追加設定する場合は、ｅ０００１を設定した欄の右隣りの空白欄（参加者端末ＩＤ２欄）に「ｅ０００２」を設定する。さらに３０代女性が使用するＰＣ１２０（参加者端末ＩＤ＝ｅ０００３）を追加設定する場合は、「３０代女性」という属性項目に対応する空白欄のうち左側の空白欄（参加者端末ＩＤ１欄）に「ｅ０００３」を設定する。【００７３】
（グルーピング最多参加属性特定処理）
つぎに、グルーピング最多参加属性特定処理について説明する。図８は、グルーピング最多参加属性特定処理の一例を示すフローチャートである。図８のフローチャートにおいて、まず、コンテンツ提供装置１３０は、参加者属性グルーピングテーブル１３３を読み込み、属性ごとに参加者端末ＩＤが設定されている個数を算出し、算出した個数を参加者端末数として属性ごとに参加者属性集計テーブル１３４に書き込む（ステップＳ８０１）。【００７４】
図９は、参加者属性集計テーブル１３４の内容を示す説明図である。図９において、参加者属性集計テーブル１３４には、「属性」項目、各属性に該当するＰＣ１２０の台数をあらわす「参加者端末数」項目、および「フラグ」項目の各項目に関する情報が設定されている。参加者属性集計テーブル１３４は、参加者属性グルーピングテーブル１３３に設定された情報にしたがって作成される。【００７５】
参加者属性集計テーブル１３４において、参加者端末数は、参加者属性グルーピングテーブル１３３に設定された属性項目ごとの参加者端末ＩＤの数である。また、参加者属性集計テーブル１３４において、フラグは各属性項目の中で参加者端末数がもっとも多い属性項目を特定する情報である。最多属性に該当する属性項目には「１」、それ以外の属性項目には「０」を設定する。参加者属性集計テーブル１３４における各項目は、参加者属性グルーピングテーブル１３３に設定された情報に基づいて設定される。【００７６】
つぎに、ステップＳ８０２において、コンテンツ提供装置１３０は、ステップＳ８０１において書き込まれた参加者属性集計テーブル１３４を読み込み、参加者端末数の一番多いレコードのフラグ項目に「１」を設定し、それ以外のレコードのフラグに「０」を設定する。このようにして、グルーピング最多参加属性特定処理の一連の処理を終了する。【００７７】
（コンテンツ連動表示処理）
つぎに、コンテンツ連動表示処理について説明する。図１０は、コンテンツ連動表示処理の一例を示すフローチャート（その１）である。図１０のフローチャートにおいて、まず、コンテンツ提供装置１３０は、詳細ページ番号ＤＢ１３９から詳細ページ番号を取得する（ステップＳ１００１）。【００７８】
図１１は、詳細ページ番号ＤＢ１３９の内容を示す説明図である。図１１において、詳細ページ番号ＤＢ１３９には、説明会用大スクリーン１１０（説明者用端末１１１の表示部）およびＰＣ１２０が表示するコンテンツのうち、詳細な内容のコンテンツ（詳細コンテンツ）が存在するページ（詳細ページ）のページ数が設定されている。詳細ページ番号ＤＢ１３９は、詳細コンテンツが存在する属性がある場合に設けられ、すべての属性について設けられていなくてもよい。【００７９】
また、詳細ページ番号ＤＢ１３９に設定されるページ数は、詳細な情報を含むコンテンツ（ページ）のページ数を設定すればよく、コンテンツファイルを構成するすべてのコンテンツ（ページ）のページ数を設定しなくてもよい。ＰＣ１２０は、詳細ページ番号ＤＢ１３９が存在する属性に関しては、通常のコンテンツよりも詳細コンテンツの方を優先して表示する。【００８０】
つぎに、ステップＳ１００２において、参加者属性集計テーブル１３４を読み込み、フラグが「１」であるレコードの属性を最多参加属性とする（ステップＳ１００２）。そして、参加者属性別コンテンツＤＢ１３５（図１２を参照）を読み込み、各属性に対応付け（紐付け）られるコンテンツ格納場所にある、該当するコンテンツファイルを読み込む（ステップＳ１００３）。【００８１】
図１２は、参加者属性別コンテンツＤＢ１３５の内容を示す説明図である。図１２において、参加者属性別コンテンツＤＢ１３５には、「属性」項目、各属性に割り当てられたコンテンツファイルの名称をあらわす「コンテンツファイル名」項目、コンテンツファイル名によってあらわされるコンテンツファイルの格納場所をあらわす「コンテンツ格納場所」項目の各項目に関する情報が設定されている。コンテンツ格納場所は、たとえば、「（ＤＢにおける）フォルダａａａの中のフォルダｂｂの中の２０」というパス名などのように、階層表示によってあらわされる。【００８２】
つぎに、ステップＳ１００４において、参加者属性グルーピングテーブル１３３を読み込み、最多参加属性以外の各属性のレコードに設定されている参加者端末ＩＤを有するＰＣ１２０へ、ＰＣ１２０の属性に該当するコンテンツファイルを送信し、送信したコンテンツファイルにおける１ページ目をＰＣ１２０に表示させる（ステップＳ１００４）。【００８３】
そして、最多参加属性に該当するコンテンツファイルを説明者用端末１１１へ送信し、送信したコンテンツファイルにおける１ページ目を説明者用端末１１１の表示部（説明用大スクリーン１１０）に表示させる（ステップＳ１００５）。なお、ステップＳ１００４およびステップＳ１００５の処理順序は逆でもよく、ステップＳ１００５の処理をおこなった後にステップＳ１００４の処理をおこなってもよい。その後、詳細コンテンツ情報ＤＢ１４０（図１３を参照）を読み込み、最多参加属性に対応付けられるコンテンツ格納場所にある該当する詳細コンテンツを読み込む（ステップＳ１００６）。【００８４】
図１３は、詳細コンテンツ情報ＤＢ１４０の内容を示す説明図である。図１３において、詳細コンテンツ情報ＤＢ１４０には、「属性」項目、各属性に割り当てられたコンテンツファイルの名称をあらわす「詳細ファイル名」項目、詳細ファイル名によってあらわされるコンテンツファイルの格納場所をあらわす「コンテンツ格納場所」項目の各項目に関する情報が設定されている。詳細ページ番号ＤＢ１３９に設定された詳細ページ番号に該当する詳細コンテンツの格納場所は、詳細コンテンツ情報ＤＢ１４０に基づいて特定することができる。【００８５】
つぎに、ステップＳ１００７において、ステップＳ１００６において読み込んだ詳細コンテンツを、最多参加属性に対応付けられるコンテンツファイルにおいて、詳細ページ番号の示すページに該当するコンテンツと差し替える。そして、参加者属性グルーピングテーブル１３３を読み込み、最多参加属性に該当するレコードに設定されている参加者端末ＩＤを有するＰＣ１２０へ、ＰＣ１２０の属性に該当するコンテンツファイルを送信し、送信したコンテンツファイルにおける１ページ目をＰＣ１２０に表示させる（ステップＳ１００８）。【００８６】
その後、説明者用端末１１１における操作検知処理をおこなう（ステップＳ１００９）。操作検知処理は、説明者用端末１１１において改ページ操作があった場合に、改ページ後のページ番号（新ページ番号）を説明者用端末１１１からコンテンツ提供装置１３０に送信する処理である。【００８７】
コンテンツ提供装置１３０は、ステップＳ１００９でおこなわれた説明者用端末１１１における操作検知処理によって説明者用端末１１１から送信された説明者用端末１１１における改ページ（新ページ番号）を検知したか否かを判断する（ステップＳ１０１０）。そして、改ページ（新ページ番号）を検知した場合（ステップＳ１０１０：Ｙｅｓ）は、検知した新ページ番号を「Ｎ」に設定する（ステップＳ１０１１）。その後、ページ番号「Ｎ」に該当するコンテンツを表示させる改ページ指示情報を全ＰＣ１２０へ送信して（ステップＳ１０１２）、ステップＳ１０１０へ戻る。【００８８】
一方、ステップＳ１０１０において、説明者用端末１１１における改ページ（新ページ番号）を検知していない場合（ステップＳ１０１０：Ｎｏ）は、説明者用端末１１１における終了操作を検知したか否かを判断する（ステップＳ１０１３）。ここで、説明者用端末１１１における終了操作を検知していない場合（ステップＳ１０１３：Ｎｏ）は、ステップＳ１０１０へ戻る。一方、説明者用端末１１１における終了操作を検知した場合（ステップＳ１０１３：Ｙｅｓ）は、コンテンツ連動表示処理の一連の処理を終了する。【００８９】
図１４−１〜図１４−３は、表示画面の一例を示す説明図である。図１４−１〜図１４−３に示した表示画面は、それぞれ、上述したコンテンツ提供システム１００における一連の処理手順によって表示される表示画面の一例を示している。【００９０】
図１４−１は、説明会用大スクリーン１１０が表示する表示画面の一例を示している。図１４−１において、表示画面１４１０には、プレゼンテーション会場における最多属性に該当する参加者として、「３０代男性」を例とした場合の保険商品のコンテンツが表示されている。なお説明会用大スクリーン１１０と説明者用端末１１１とが別体である場合、表示画面１４１０は、説明会用大スクリーン１１０に加えて説明者用端末１１１の表示部にも表示される。【００９１】
図１４−２は、最多属性に該当する参加者が使用するＰＣ１２０が表示する表示画面の一例を示している。また図１４−２に示した表示画面１４２０は、最多参加者層である「３０代男性」に該当する参加者に配布された電子ペーパー１２１に表示される表示画面の一例も示している。図１４−２において、表示画面１４２０には、表示画面１４１０におけるコンテンツ１４２１に加えて、３０代男性に特徴的な補足コンテンツ１４２２が表示されている。【００９２】
このように、最多属性である３０代男性に該当する参加者に対しては、説明会用大スクリーン１１０に表示されるコンテンツよりも詳細なコンテンツが提供される。これにより、説明会用大スクリーン１１０に表示される一般例を用いてプレゼンテーションの進行状況を案内するとともに、３０代男性に特化した情報を詳しく案内し、３０代男性ならではの保険加入の必要性を伝えることができる。【００９３】
そして、３０代男性に特化した情報を案内することで、３０代男性に対する保険の適用場面を想定し易くして、保険加入の必要性を分かり易く伝えることができる。これにより、保険加入の必要性が分からないまま形式的に説明を受けることの退屈さから、プレゼンテーションへの参加意欲が低下することを防止できる。【００９４】
なお、詳細コンテンツは、詳細な内容を含むページ全体をあらわすコンテンツであってもよいし、３０代男性に特化した情報によって構成されるコンテンツであってもよい。３０代男性に特化した情報によって構成されるコンテンツは、説明会用大スクリーン１１０に表示するコンテンツと組み合わせて使用する。この場合、３０代男性が使用するＰＣ１２０には、説明会用大スクリーン１１０の表示内容に３０代男性に特化した情報を重畳した画面が表示される。特化した情報とは、具体的には、たとえば図１４−２には表示されていて図１４−１には表示されていない情報である。【００９５】
図１４−３は、最多属性以外に該当する参加者が使用するＰＣ１２０、あるいは最多属性以外に該当する参加者に配布された電子ペーパー１２１が表示する表示画面の一例を示す説明図である。図１４−３に示した表示画面１４３０は、属性「２０代女性」の参加者端末に表示される。図１４−３において、表示画面１４３０には、表示画面１４１０におけるコンテンツ１４２１に加えて、２０代女性に多く想定されるイベントが表示されている。これによって、コンテンツ提供システム１００は、２０代女性に該当する参加者に対して、説明会用大スクリーン１１０に表示される一般例を用いてプレゼンテーションの進行状況を案内するとともに、２０代女性ならではの保険の必要性をより詳しく案内することができる。【００９６】
（コンテンツ提供システム１００における処理手順２（電子ペーパーの場合））
つぎに、参加者端末が電子ペーパー１２１である場合のコンテンツ提供システム１００における一連の処理手順について説明する。コンテンツ提供システム１００における一連の処理手順は、主に下記の処理手順（図１５、図１７に示すフローチャートを参照）によって実現される。図１５、図１７のフローチャートに示す各処理工程は、適宜、コンテンツ提供システム１００を構成する各装置によっておこなわれる。【００９７】
（参加者属性情報取得・グルーピング処理）
図１５は、参加者属性情報取得・グルーピング処理の一例を示すフローチャート（その２）である。図１５のフローチャートにおいて、まず、電子ペーパーライター管理ＤＢ１３６のレコードを読み込む（ステップＳ１５０１）。【００９８】
図１６は、電子ペーパーライター管理ＤＢ１３６の内容を示す説明図である。図１６において、電子ペーパーライター管理ＤＢ１３６には、上記の複数の電子ペーパーライター２１０の「ライターＩＤ」項目、電子ペーパーライター２１０ごとの「表示属性」項目の各項目に関する情報が設定されている。ライターＩＤは、上記の複数の電子ペーパーライター２１０のそれぞれに割り当てられており、各電子ペーパーライター２１０を識別する情報である。【００９９】
電子ペーパーライター管理ＤＢ１３６における各項目は、保険会社側で使用する電子ペーパーライター２１０の台数を決定し、どの電子ペーパーライター２１０によってどの属性に対応するコンテンツを記録するかの割り振りを決定した時点で設定可能となる。設定は、たとえば、電子ペーパーライター２１０の割り振りをおこなった保険会社側でおこなう。【０１００】
つぎに、ステップＳ１５０２において、電子ペーパーライター２１０への電子ペーパー１２１のセットを検知したか否かを判断する。電子ペーパーライター２１０は、電子ペーパー１２１がセットされた場合に、自身のライターＩＤおよびセットされた電子ペーパー１２１が有する参加者端末ＩＤを、コンテンツ提供装置１３０に送信する処理をおこなう。ステップＳ１５０２においては、電子ペーパーライター２１０から送信される、電子ペーパーライター２１０に電子ペーパー１２１がセットされたことを示す情報を受信したか否かを判断することによって、電子ペーパーライター２１０への電子ペーパー１２１のセットを検知したか否かを判断する。【０１０１】
ステップＳ１５０２において、電子ペーパーライター２１０への電子ペーパー１２１のセットを検知するのを待って、検知した場合（ステップＳ１５０２：Ｙｅｓ）は、セットされたライターＩＤに該当する表示属性を電子ペーパー１２１に書き込む（ステップＳ１５０３）。ステップＳ１５０３においては、具体的にはたとえば「２０代男性」などの表示属性を書き込む。【０１０２】
ステップＳ１５０３においては、ステップＳ１５０１において読み込んだレコードに基づいて、電子ペーパー１２１がセットされた電子ペーパーライター２１０のライターＩＤの表示属性を、該当する電子ペーパーライター２１０へ送信する。そして、送信された表示属性を、電子ペーパーライター２１０にセットされた電子ペーパー１２１に電子ペーパーライター２１０によって書き込む。【０１０３】
つぎに参加者属性グルーピングテーブル１３３レコードにおいて、送信された表示属性に該当する属性を有するレコードに、図７において左側の空白欄から順番に、セットされた電子ペーパー１２１の参加者端末ＩＤを設定する（ステップＳ１５０４）。その後、ステップＳ１５０２へ戻り、ステップＳ１５０２における判断結果に応じてステップＳ１５０３およびステップＳ１５０４の処理を繰り返しておこなう。【０１０４】
参加者端末が電子ペーパー１２１である場合のコンテンツ提供システム１００における一連の処理手順においては、図１５に示した参加者属性情報取得・グルーピング処理の後、グルーピング最多参加属性特定処理をおこなう。参加者属性情報取得・グルーピング処理の後におこなうグルーピング最多参加属性特定処理は、図８に示したグルーピング最多参加属性特定処理と同様であるため、ここでは説明を省略する。【０１０５】
（コンテンツ連動表示処理）
つぎに、コンテンツ連動表示処理について説明する。図１７は、コンテンツ連動表示処理の一例を示すフローチャート（その２）である。図１７のフローチャートにおいて、まず、詳細ページ番号ＤＢ１３９から詳細ページ番号を取得する（ステップＳ１７０１）とともに、参加者属性集計テーブル１３４を読み込み、フラグが「１」であるレコードの属性を最多参加属性とする（ステップＳ１７０２）。【０１０６】
そして、参加者属性別コンテンツＤＢ１３５を読み込み、各属性に対応付けられるコンテンツ格納場所にある該当するコンテンツファイルを読み込む（ステップＳ１７０３）。その後、説明用大スクリーン１１０および電子ペーパー１２１が表示するコンテンツのページ数をあらわす「Ｎ」を、「Ｎ＝１」に設定する（ステップＳ１７０４）。これにより、説明用大スクリーン１１０および電子ペーパー１２１が表示するコンテンツが、ステップＳ１７０３において読み込んだコンテンツファイルにおける１ページ目のコンテンツに設定される。【０１０７】
つぎに、「Ｎ」がステップＳ１７０１において取得した詳細ページ番号であるか否かを判断する（ステップＳ１７０５）。「Ｎ」が詳細ページ番号でない場合（ステップＳ１７０５：Ｎｏ）は、コンテンツファイルにおけるＮページデータを電子ペーパー１２１に表示させる（ステップＳ１７０６）。【０１０８】
ステップＳ１７０６においては、参加者属性グルーピングテーブル１３３を読み込み、各属性のレコードに設定されている参加者端末ＩＤを有する電子ペーパー１２１へ、電子ペーパー１２１の属性に該当するコンテンツファイルのＮページ目に該当するコンテンツ（Ｎページデータ）を送信し、送信したコンテンツ（Ｎページデータ）を電子ペーパー１２１に表示させる。【０１０９】
その後、最多参加属性に該当するコンテンツファイルのＮページデータを説明者用端末１１１へ送信し、送信したコンテンツファイルのＮページデータを説明者用端末１１１の表示部（説明用大スクリーン１１０）に表示させる（ステップＳ１７０７）。なお、ステップＳ１７０６およびステップＳ１７０７の処理順序は逆でもよく、ステップＳ１７０７の処理をおこなった後にステップＳ１７０６の処理をおこなってもよい。【０１１０】
つぎに、ステップＳ１００９における操作検知処理と同様に、説明者用端末１１１における操作検知処理をおこなう（ステップＳ１７０８）。そして、説明者用端末１１１における操作検知処理によって説明者用端末１１１から送信された、説明者用端末１１１における改ページ（新ページ番号）を検知したか否かを判断する（ステップＳ１７０９）。ここで、改ページ（新ページ番号）を検知した場合（ステップＳ１７０９：Ｙｅｓ）は、検知した新ページ番号を「Ｎ」に設定して（ステップＳ１７１０）、ステップＳ１７０５へ戻る。【０１１１】
一方、ステップＳ１７０９において、説明者用端末１１１における改ページ（新ページ番号）を検知していない場合（ステップＳ１７０９：Ｎｏ）は、説明者用端末１１１における終了操作を検知したか否かを判断する（ステップＳ１７１１）。ここで説明者用端末１１１における終了操作を検知していない場合（ステップＳ１７１１：Ｎｏ）は、ステップＳ１７０８へ戻って説明者用端末１１１における操作検知処理をおこなう（ステップＳ１７０８）。一方、説明者用端末１１１における終了操作を検知した場合（ステップＳ１７１１：Ｙｅｓ）は一連の処理を終了する。【０１１２】
ステップＳ１７０５において、「Ｎ」が詳細ページ番号である場合（ステップＳ１７０５：Ｙｅｓ）は、該当するコンテンツファイルのＮページデータを電子ペーパー１２１に表示させる（ステップＳ１７１２）。ステップＳ１７１２においては、参加者属性グルーピングテーブル１３３を読み込み、最多参加属性以外の各属性のレコードに設定されている参加者端末ＩＤを有する電子ペーパー１２１へ、電子ペーパー１２１の属性に該当するコンテンツファイルのＮページデータを送信し、送信したコンテンツファイルにおけるＮページデータを電子ペーパー１２１に表示させる。【０１１３】
そして、最多参加属性に該当するコンテンツファイルのＮページデータを、説明者用端末１１１へ送信し、送信したコンテンツファイルのＮページデータを説明者用端末１１１の表示部（説明用大スクリーン１１０）に表示させる（ステップＳ１７１３）。なお、ステップＳ１７１２およびステップＳ１７１３の処理順序は逆でもよく、ステップＳ１７１３の処理をおこなった後にステップＳ１７１２の処理をおこなってもよい。【０１１４】
つぎに、詳細コンテンツ情報ＤＢ１４０を読み込み、最多参加属性に対応付けられるコンテンツ格納場所にある、該当する詳細ファイルを読み込む（ステップＳ１７１４）。その後、該当する詳細コンテンツを電子ペーパー１２１に表示させる（ステップＳ１７１５）。【０１１５】
ステップＳ１７１５においては、参加者属性グルーピングテーブル１３３を読み込み、最多参加属性のレコードに設定されている参加者端末ＩＤを有する電子ペーパー１２１へ、電子ペーパー１２１の属性に該当する詳細コンテンツを送信する。そして、送信した詳細コンテンツを電子ペーパー１２１に表示させる。詳細コンテンツを電子ペーパー１２１に表示させた後は、ステップＳ１７０８へ移行して、説明者用端末１１１における操作検知処理をおこなう（ステップＳ１７０８）。【０１１６】
上述した説明においては、参加者端末（ＰＣ１２０および電子ペーパー１２１）を、属性ごとにグルーピングし、グルーピングされた各グループに該当する参加者端末（ＰＣ１２０および電子ペーパー１２１）数に基づいて最多参加属性を特定するようにしたが、これに限るものではない。【０１１７】
（コンテンツ提供システム１００における他の処理手順）
つぎに、参加者端末（ＰＣ１２０および電子ペーパー１２１）を属性ごとにグルーピングせず、各参加者端末（ＰＣ１２０および電子ペーパー１２１）に該当するコンテンツを表示させる場合の処理手順について説明する。参加者端末（ＰＣ１２０および電子ペーパー１２１）を属性ごとにグルーピングしない場合も、グルーピングする場合と同様に、参加者端末がＰＣ１２０であるか電子ペーパー１２１であるかによって処理内容が一部異なる。【０１１８】
ここで、コンテンツ提供システム１００において参加者端末であるＰＣ１２０を属性ごとにグルーピングせずにおこなう一連の処理手順について説明する。この場合の一連の処理手順は、主に下記の処理手順（図１８、図２０、図２２に示すフローチャートを参照）によって実現される。図１８、図２０、図２２のフローチャートに示す各処理工程は、適宜、コンテンツ提供システム１００を構成する各装置によっておこなわれる。【０１１９】
図１８は、参加者属性情報取得蓄積処理の一例を示すフローチャート（その１）である。図１８のフローチャートにおいて、まず、全ＰＣ１２０において、属性入力を促す画面６００を表示させる（ステップＳ１８０１）。その後、入力が完了したＰＣ１２０から送信された属性情報を受け付けたか否かを判断し（ステップＳ１８０２）、受け付けていない場合（ステップＳ１８０２：Ｎｏ）は、ＰＣ１２０から送信された属性情報を受け付けるまで待機する。【０１２０】
一方、ＰＣ１２０から送信された属性情報を受け付けた場合（ステップＳ１８０２：Ｙｅｓ）は、属性情報を送信してきたＰＣ１２０が有する参加者端末ＩＤを、参加者端末ＩＤ属性紐付テーブル（図１９を参照）に追加設定する（ステップＳ１８０３）。ステップＳ１８０３においては、ステップＳ１８０２：Ｙｅｓにおいて受け付けた属性と参加者端末ＩＤとを対応付けて、参加者端末ＩＤ属性紐付テーブルに追加設定する。【０１２１】
図１９は、参加者端末ＩＤ属性紐付テーブルの内容を示す説明図である。図１９において、参加者端末ＩＤ属性紐付テーブル１９００には、「参加者端末ＩＤｎ」項目、「属性」項目の各項目に関する情報が設定されている。参加者端末ＩＤ属性紐付テーブル１９００においては、参加者端末ＩＤと属性とが１対１に対応付けられている。すなわち、属性が同じ参加者端末（ＰＣ１２０および電子ペーパー１２１）が複数ある場合にも、属性は各参加者端末ＩＤにそれぞれ対応付けられている。【０１２２】
参加者端末ＩＤの追加設定後は、ステップＳ１８０２へ移行し、ＰＣ１２０から送信された属性情報を受け付けたか否かを判断する（ステップＳ１８０２）。そして、属性情報を受け付けた場合は、ステップＳ１８０３の処理を繰り返す。【０１２３】
つぎに、最多参加属性特定処理について説明する。図２０は、最多参加属性特定処理の一例を示すフローチャートである。図２０のフローチャートにおいては、参加者端末ＩＤ属性紐付テーブル１９００を読み込み、属性ごとにその出現回数をカウントし、一番出現回数の多い属性を求め、求められた属性を最多参加属性として最多参加属性テーブル（図２１を参照）に設定して（ステップＳ２００１）、一連の処理を終了する。【０１２４】
図２１は、最多参加属性テーブルの内容を示す説明図である。図２１において、最多参加属性テーブル２１００には、プレゼンテーションの参加者の属性の中で最多となる属性をあらわす最多参加属性が設定されている。参加者端末ＩＤ属性紐付テーブル１９００によれば、２０代男性が使用するＰＣ１２０が１台、３０代男性が使用するＰＣ１２０が２台、３０代女性が使用するＰＣ１２０が１台である。このため、最多参加属性テーブル２１００には、最多参加属性として「３０代男性」が設定される。【０１２５】
つぎに、コンテンツ連動表示処理について説明する。図２２は、コンテンツ連動表示処理の一例を示すフローチャート（その３）である。図２２のフローチャートにおいて、まず、コンテンツ提供装置１３０は、詳細ページ番号ＤＢ１３９から詳細ページ番号を取得する（ステップＳ２２０１）。そして、最多参加属性テーブル２１００を読み込み、最多参加属性を取得する（ステップＳ２２０２）。【０１２６】
その後、参加者属性別コンテンツＤＢ１３５を読み込み、各属性に対応付けられるコンテンツ格納場所にある、該当するコンテンツファイルを読み込む（ステップＳ２２０３）。そして、該当するコンテンツファイルにおける１ページ目をＰＣ１２０に表示させる（ステップＳ２２０４）。【０１２７】
ステップＳ２２０４においては、参加者端末ＩＤ属性紐付テーブル１９００のレコードを順次読み込み、読み込んだレコードに設定されている属性を読み取って、読み取った属性に該当するコンテンツファイルを読み込んだレコードに含まれる参加者端末ＩＤを有するＰＣ１２０へ送信する。そして、送信したコンテンツファイルにおける１ページ目をＰＣ１２０に表示させる。【０１２８】
つぎに、最多参加属性に該当するコンテンツファイルにおける１ページ目を説明者用端末１１１の表示部（説明用大スクリーン１１０）に表示させる（ステップＳ２２０５）。ステップＳ２２０５においては、最多参加属性に該当するコンテンツファイルを説明者用端末１１１へ送信し、送信したコンテンツファイルにおける１ページ目を説明者用端末１１１の表示部（説明用大スクリーン１１０）に表示させる。なお、ステップＳ２２０４およびステップＳ２２０５の処理順序は逆でもよく、ステップＳ２２０５の処理をおこなった後にステップＳ２２０４の処理をおこなってもよい。【０１２９】
そして、詳細コンテンツ情報ＤＢ１４０を読み込み、最多参加属性に対応付けられるコンテンツ格納場所にある該当する詳細コンテンツを読み込む（ステップＳ２２０６）。読み込んだ詳細コンテンツは、最多参加属性に対応付けられるコンテンツファイルにおいて、詳細ページ番号の示すページに該当するコンテンツと差し替える（ステップＳ２２０７）。【０１３０】
その後、差し替えたコンテンツファイルにおける１ページ目をＰＣ１２０に表示させる（ステップＳ２２０８）。ステップＳ２２０８においては、最多参加属性をキーにして参加者端末ＩＤ属性紐付テーブル１９００の属性を検索し、該当するレコードに含まれる参加者端末ＩＤを有するＰＣ１２０へ、差し替えたコンテンツファイルを送信し、送信したコンテンツファイルにおける１ページ目をＰＣ１２０に表示させる。【０１３１】
そして、説明者用端末１１１における操作検知処理をおこない（ステップＳ２２０９）、説明者用端末１１１における改ページ（新ページ番号）を検知したか否かを判断する（ステップＳ２２１０）。ここで、改ページ（新ページ番号）を検知した場合（ステップＳ２２１０：Ｙｅｓ）は、検知した新ページ番号を「Ｎ」に設定する（ステップＳ２２１１）。設定後は、ページ番号「Ｎ」に該当するコンテンツを表示させる改ページ指示情報を全ＰＣ１２０に送信して（ステップＳ２２１２）、ステップＳ２２１０へ戻る。【０１３２】
一方、ステップＳ２２１０において、説明者用端末１１１における改ページ（新ページ番号）を検知していない場合（ステップＳ２２１０：Ｎｏ）は、説明者用端末１１１における終了操作を検知したか否かを判断する（ステップＳ２２１３）。ここで説明者用端末１１１における終了操作を検知していない場合（ステップＳ２２１３：Ｎｏ）はステップＳ２２１０へ戻る。説明者用端末１１１における終了操作を検知した場合（ステップＳ２２１３：Ｙｅｓ）は一連の処理を終了する。【０１３３】
つぎに、参加者端末である電子ペーパー１２１を属性ごとにグルーピングせずコンテンツ提供システム１００における一連の処理手順について説明する。この場合の一連の処理手順は、主に下記の処理手順（図２３、図２４に示すフローチャートを参照）によって実現される。図２３、図２４のフローチャートに示す各処理工程は、適宜、コンテンツ提供システム１００を構成する各装置によっておこなわれる。【０１３４】
図２３は、参加者属性情報取得蓄積処理の一例を示すフローチャート（その２）である。図２３のフローチャートにおいて、まず、電子ペーパーライター管理ＤＢ１３６のレコードを読み込む（ステップＳ２３０１）。つぎに、電子ペーパーライター２１０への電子ペーパー１２１のセットを検知したか否かを判断する（ステップＳ２３０２）。【０１３５】
そして、ステップＳ２３０２において、電子ペーパーライター２１０への電子ペーパー１２１のセットを検知するまで待って、電子ペーパー１２１のセットを検知した場合（ステップＳ２３０２：Ｙｅｓ）は、セットされたライターＩＤに該当する表示属性を電子ペーパー１２１に書き込む（ステップＳ２３０３）。【０１３６】
ステップＳ２３０３においては、ステップＳ２３０１において読み込んだレコードに基づいて、電子ペーパー１２１がセットされた電子ペーパーライター２１０のライターＩＤの表示属性を、該当する電子ペーパーライター２１０へ送信する。そして、送信された表示属性を、電子ペーパーライター２１０にセットされた電子ペーパー１２１に電子ペーパーライター２１０によって書き込む。【０１３７】
つぎに、コンテンツが書き込まれた電子ペーパー１２１の参加者端末ＩＤと送信された表示属性に基づく属性とを対応付けたレコードを、参加者端末ＩＤ属性紐付テーブル１９００に追加設定する（ステップＳ２３０４）。その後、ステップＳ２３０２へ戻り、ステップＳ２３０２における判断結果に応じてステップＳ２３０３およびステップＳ２３０４の処理を繰り返しておこなう。【０１３８】
参加者端末である電子ペーパー１２１を属性ごとにグルーピングせずコンテンツ提供システム１００における一連の処理手順においては、図２３に示した参加者属性情報取得蓄積処理の後、最多参加属性特定処理をおこなう。なお、最多参加属性特定処理は、図２０に示した最多参加属性特定処理と同様であるため、ここでは説明を省略する。【０１３９】
つぎに、コンテンツ連動表示処理について説明する。図２４は、コンテンツ連動表示処理の一例を示すフローチャート（その４）である。図２４のフローチャートにおいて、まず、詳細ページ番号ＤＢ１３９から詳細ページ番号を取得する（ステップＳ２４０１）とともに、最多参加属性テーブル２１００を読み込み、最多参加属性を取得する（ステップＳ２４０２）。【０１４０】
さらに、参加者属性別コンテンツＤＢ１３５を読み込み、各属性に対応付けられるコンテンツ格納場所にある、該当するコンテンツファイルを読み込む（ステップＳ２４０３）。そして、説明用大スクリーン１１０および電子ペーパー１２１が表示するコンテンツのページ数をあらわす「Ｎ」を、「Ｎ＝１」に設定する（ステップＳ２４０４）。【０１４１】
つぎに、「Ｎ」が、ステップＳ２４０１において取得した詳細ページ番号であるか否かを判断する（ステップＳ２４０５）。「Ｎ」が詳細ページ番号でない場合（ステップＳ２４０５：Ｎｏ）は、該当するコンテンツファイルのＮページデータを電子ペーパー１２１に表示させる（ステップＳ２４０６）。【０１４２】
ステップＳ２４０６においては、参加者端末ＩＤ属性紐付テーブル１９００のレコードを順次読み込み、読み込んだレコードに設定されている属性を読み取って、読み取った属性に該当するコンテンツファイルのＮページデータを該当する電子ペーパー１２１に送信する。そして、送信したコンテンツファイルにおけるＮページデータを電子ペーパー１２１に表示させる。【０１４３】
つぎに、該当するコンテンツファイルのＮページデータを説明者用端末１１１の表示部（説明用大スクリーン１１０）に表示させる（ステップＳ２４０７）。ステップＳ２４０７においては、最多参加属性に該当するコンテンツファイルのＮページデータを説明者用端末１１１へ送信し、送信したコンテンツファイルのＮページデータを説明者用端末１１１の表示部（説明用大スクリーン１１０）に表示させる。なお、ステップＳ２４０６およびステップＳ２４０７の処理順序は逆でもよく、ステップＳ２４０７の処理をおこなった後にステップＳ２４０６の処理をおこなってもよい。【０１４４】
その後、説明者用端末１１１における操作検知処理をおこない（ステップＳ２４０８）、説明者用端末１１１から送信された説明者用端末１１１における改ページ（新ページ番号）を検知したか否かを判断する（ステップＳ２４０９）。ここで、ステップＳ２４０９において、改ページ（新ページ番号）を検知した場合（ステップＳ２４０９：Ｙｅｓ）は、検知した新ページ番号を「Ｎ」に設定して（ステップＳ２４１０）、ステップＳ２４０５へ戻る。【０１４５】
一方、ステップＳ２４０９において、説明者用端末１１１における改ページ（新ページ番号）を検知していない場合（ステップＳ２４０９：Ｎｏ）は、説明者用端末１１１における終了操作を検知したか否かを判断する（ステップＳ２４１１）。そして、説明者用端末１１１における終了操作を検知していない場合（ステップＳ２４１１：Ｎｏ）はステップＳ２４０８へ戻り、説明者用端末１１１における操作検知処理をおこなう（ステップＳ２４０８）。説明者用端末１１１における終了操作を検知した場合（ステップＳ２４１１：Ｙｅｓ）は一連の処理を終了する。【０１４６】
ステップＳ２４０５において、「Ｎ」が詳細ページ番号ではない場合（ステップＳ２４０５：Ｙｅｓ）は、該当するコンテンツファイルのＮページデータを電子ペーパー１２１に表示させる（ステップＳ２４１２）。ステップＳ２４１２においては、参加者端末ＩＤ属性紐付テーブル１９００を読み込み、最多参加属性以外の各属性のレコードに設定されている参加者端末ＩＤを有する電子ペーパー１２１へ、電子ペーパー１２１の属性に該当するコンテンツファイルのＮページデータを送信する。そして、送信したコンテンツファイルにおけるＮページデータを電子ペーパー１２１に表示させる。【０１４７】
その後、最多参加属性に該当するコンテンツファイルのＮページデータを、説明者用端末１１１へ送信し、送信したコンテンツファイルのＮページデータを説明者用端末１１１の表示部（説明用大スクリーン１１０）に表示させる（ステップＳ２４１３）。なお、ステップＳ２４１２およびステップＳ２４１３の処理順序は逆でもよく、ステップＳ２４１３理をおこなった後にステップＳ２４１２の処理をおこなってもよい。【０１４８】
つぎに、詳細コンテンツ情報ＤＢ１４０を読み込み、最多参加属性に対応付けられるコンテンツ格納場所にある該当する詳細ファイルを読み込む（ステップＳ２４１４）。そして、該当する詳細コンテンツを電子ペーパー１２１に表示させる（ステップＳ２４１５）。ステップＳ２４１５においては、参加者端末ＩＤ属性紐付テーブル１９００のレコードを順次読み込み、最多参加属性のレコードに設定されている参加者端末ＩＤを有する電子ペーパー１２１へ、電子ペーパー１２１の属性に該当する詳細コンテンツを送信する。そして、送信した詳細コンテンツを電子ペーパー１２１に表示させる。その後、ステップＳ２４０８へ移行して、説明者用端末１１１における操作検知処理をおこなう。【０１４９】
以上説明したように、本実施の形態のコンテンツ提供システム１００によれば、プレゼンテーションの進行に合わせて、参加者の使用しているＰＣ１２０や電子ペーパー１２１に対して、各参加者の属性に合致したコンテンツを配信することができる。これによって、不特定多数が参加するプレゼンテーションに際して、各参加者に最適なコンテンツを用いてプレゼンテーションをおこない、プレゼンテーション内容を十分に理解させることができる。【０１５０】
なお、ＰＣ１２０に送信するコンテンツファイルは、一度にコンテンツファイルを構成するすべてのコンテンツ（ページ）を送信するものに限らない。たとえば、全体に対する半量、あるいは所定ページ数ずつなどのように、一つのコンテンツファイルを複数回に分割して送信するようにしてもよい。【０１５１】
具体的には、たとえば保険商品の販売価格を含まないコンテンツを送信し、販売価格を提示しない状態でプレゼンテーションを進行する。そして、保険会社側が予定した説明が終了した時点で、該当する保険商品の販売価格を含むコンテンツ（ページ）を各ＰＣ１２０に送信する。これによって、販売価格が既知となることによって参加者のプレゼンテーションに対する参加意欲が低下することを防止できる。【０１５２】
また、たとえば、プレゼンテーションに用いるページのコンテンツを先に送信し、プレゼンテーションで用いなかったページのコンテンツを、プレゼンテーションが終了した後に送信するようにしてもよい。これによって、プレゼンテーションの進行に関係のないコンテンツが存在することにより、プレゼンテーション中に参加者の混乱を招かないとともに、プレゼンテーション終了後に余剰のコンテンツを提供することができ、プレゼンテーションの内容を十分に理解させることができる。【０１５３】
また、たとえば本発明のコンテンツ提供システム１００をたとえば国際会議に適用する場合、参加各国の使用言語を属性として、提供するコンテンツの内容（コンテンツ中の使用言語）を選択するようにしてもよい。【０１５４】
また、本実施の形態のコンテンツ提供システム１００によれば、ＰＣ１２０を用いることにより、属性情報の入力を参加者におこなわせることができる。このため、参加者が不特定多数となるプレゼンテーションであって、開催以前に属性情報を収集することが困難である場合にも、プレゼンテーションの当日の参加者に合わせて、各参加者の属性に合致したコンテンツを配信することができる。これによって、参加者数や属性が事前に特定できないプレゼンテーションであっても、各参加者に最適なコンテンツを用いてプレゼンテーションをおこない、プレゼンテーション内容を十分に理解させることができる。【０１５５】
また、本実施の形態のコンテンツ提供システム１００によれば、属性が割り当てられた電子ペーパー１２１（ＰＣ１２０でも可）を参加者が選択するようにしているため、参加者が参加者自身の属性情報を入力する手間を省き、参加者に負担をかけずにプレゼンテーションをおこなうことができる。【０１５６】
また、本実施の形態のコンテンツ提供システム１００によれば、可搬性の高い電子ペーパー１２０を用いることにより、たとえば参加者がもっとも関心を持った情報を表示した状態の電子ペーパー１２０を持ち帰らせることができる。これによって、参加者は、プレゼンテーションの終了後にプレゼンテーションの内容を再確認し、保険商品の購入（保険への加入）を納得がいくまでゆっくり検討することができる。【０１５７】
また、本実施の形態１のコンテンツ提供システム１００によれば、説明者用端末１１１（説明会用大スクリーン１１０）の改ページと同じタイミングでＰＣ１２０、電子ペーパー１２１を改ページし、ＰＣ１２０、電子ペーパー１２１の表示内容と説明とを一致させ説明者の意図するタイミングで該当する情報を提供することができる。これによって、参加者はプレゼンテーションの進行に遅れることなく説明を受けることができ、プレゼンテーション内容を十分に理解することができる。【０１５８】
本実施の形態１では、説明者用端末１１１からの指示に基づいてコンテンツ提供装置１３０が配信処理を行う例を説明したが、実施形態としてはこの例に限られるものではない。たとえば、説明者用端末１１１とコンテンツ提供装置１３０のそれぞれの機能を一つの装置で実現することも可能である。また、説明者の指示に基づいて改ページをおこなう例を説明したが、たとえば所定の時間間隔で自動的に改ページを指示する形態も考えられる。【０１５９】
なお、本実施の形態で説明したコンテンツ提供方法は、あらかじめ用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。【０１６０】
また、本実施の形態で説明したコンテンツ提供装置１３０は、スタンダードセルやストラクチャードＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などの特定用途向けＩＣ（以下、単に「ＡＳＩＣ」と称す。）やＦＰＧＡなどのＰＬＤ（Ｐｒｏｇｒａｍｍａｂｌｅ  Ｌｏｇｉｃ  Ｄｅｖｉｃｅ）によっても実現することができる。具体的には、たとえば、上述したコンテンツ提供装置１３０の機能的構成をＨＤＬ記述によって機能定義し、そのＨＤＬ記述を論理合成してＡＳＩＣやＰＬＤに与えることにより、コンテンツ提供装置１３０を製造することができる。
【産業上の利用可能性】
【０１６１】
以上のように、本発明にかかるコンテンツ提供プログラム、コンテンツ提供装置およびコンテンツ提供方法は、複数の参加者が参加するプレゼンテーションに用いるコンテンツを、当該プレゼンテーションの参加者が使用する端末装置を介して提供するプレゼンテーションに有用であり、特に、コンテンツの改ページをともなうプレゼンテーションに適している。
【図１】
2008149430.tif 000003
【図２】
2008149430.tif 000004
【図３】
2008149430.tif 000005
【図４】
2008149430.tif 000006
【図５】
2008149430.tif 000007
【図６】
2008149430.tif 000008
【図７】
2008149430.tif 000009
【図８】
2008149430.tif 000010
【図９】
2008149430.tif 000011
【図１０】
2008149430.tif 000012
【図１１】
2008149430.tif 000013
【図１２】
2008149430.tif 000014
【図１３】
2008149430.tif 000015
【図１４−１】
2008149430.tif 000016
【図１４−２】
2008149430.tif 000017
【図１４−３】
2008149430.tif 000018
【図１５】
2008149430.tif 000019
【図１６】
2008149430.tif 000020
【図１７】
2008149430.tif 000021
【図１８】
2008149430.tif 000022
【図１９】
2008149430.tif 000023
【図２０】
2008149430.tif 000024
【図２１】
2008149430.tif 000025
【図２２】
2008149430.tif 000026
【図２３】
2008149430.tif 000027
【図２４】
2008149430.tif 000028
【国際調査報告】
2008149430.tif 000029
2008149430.tif 000030
2008149430.tif 000031
2008149430.tif 000032